(57)【要約】【課題】カバーの取付け作業性を向上すること。【解決手段】器具本体１０は、その一端に設けられて、非常用照明装置３の制御装置６と対向する第２側板１３と、第２側板１３から突出する突起１００とを有する。非常用照明装置３のカバー７は、カバー本体７０と、突起１００に係止される係止部７４と、固定部とを有する。係止部７４はカバー本体７０の一端部に設けられている。係止部７４は、引掛部分７４００と湾曲部分７４０１とを有している。湾曲部分７４０１は、隙間１７の位置において、突起１００と接触して制御装置６に近づく向きに弾性変形する。湾曲部分７４０１は、係止状態において、孔７１１の貫通方向に沿って見たときに引掛部分７４００と第２側板１３との間に位置する。【選択図】図２
2018137103.tif 000002
【特許請求の範囲】
【請求項１】
常用照明を行う常用照明装置と、非常用照明を行う非常用照明装置と、前記常用照明装置及び前記非常用照明装置を互いに隣に並べて収容する器具本体とを備え、
前記非常用照明装置は、非常用光源ユニットと、非常用電源ユニットと、前記非常用電源ユニットから供給される電力で前記非常用光源ユニットを点灯する制御装置と、前記非常用光源ユニットから放射される光が通過する孔を有して前記制御装置及び前記非常用光源ユニットを覆うカバーとを備え、
前記器具本体は、
前記常用照明装置及び前記非常用照明装置が並ぶ並び方向における前記器具本体の一端に設けられ、前記制御装置と対向する側板と、
前記側板から前記制御装置に近づく向きに突出する突起と、を有し、
前記カバーは、
カバー本体と、
前記突起に係止される係止部と、
前記係止部が前記突起に係止された係止状態で前記カバー本体を前記器具本体に固定する固定部と、を有し、
前記係止部は、前記並び方向における前記カバー本体の一端部に設けられ、
前記固定部は、前記並び方向における前記カバー本体の前記一端部とは反対側の他端部に設けられ、
前記係止部は、
前記係止状態において前記突起が引っ掛かる第１部と、
前記係止状態において前記器具本体の底部と前記第１部との間に位置する第２部と、
を有し、
前記突起と前記制御装置との間には、前記第２部が挿入されるための隙間が設けられ、
前記第２部は、前記隙間の位置において、前記突起と接触して前記制御装置に近づく向きに弾性変形するように構成され、かつ、前記係止状態において、前記孔が貫通する貫通方向に沿って見たときに前記第１部と前記側板との間に位置する
ことを特徴とする照明器具。
【請求項２】
前記係止部は、板ばねであり、
前記板ばねは、前記カバー本体の前記一端部から前記器具本体の前記底部に向かって突出する腕部を有し、
前記腕部は、前記第１部及び前記第２部を含み、
前記非常用光源ユニットは、光源と、前記光源を覆うように配置されたレンズとを有し、
前記レンズは、前記係止状態において前記孔から前記カバーの外部に突出するレンズ本体を有し、
前記貫通方向において、前記腕部の長さ寸法は、前記孔から突出した前記レンズ本体の突出寸法よりも大きく、前記突起から前記底部までの距離よりも小さい
ことを特徴とする請求項１に記載の照明器具。
【請求項３】
前記係止部は、板ばねであり、
前記板ばねは、前記カバー本体の前記一端部から前記器具本体の前記底部に向かって突出する腕部を有し、
前記腕部は、前記第１部及び前記第２部を含み、
前記第２部は、前記制御装置から離れる方向に凸形状となるように形成されていて、
前記腕部は、前記貫通方向に沿って見たときに、少なくともその基端が、前記カバー本体と重なる位置となるように配置される
ことを特徴とする請求項１又は２に記載の照明器具。
【請求項４】
前記腕部の先端は、前記貫通方向に沿って見たときに、前記腕部の前記基端と前記制御装置との間に配置される
ことを特徴とする請求項３に記載の照明器具。
【請求項５】
前記第１部は、前記腕部の基端側に設けられ
前記腕部の先端は、前記係止状態において、前記器具本体の前記側板と前記制御装置との間に配置される
ことを特徴とする請求項２〜４のいずれか１項に記載の照明器具。
【請求項６】
前記係止部は、前記カバー本体と一体となって形成されている
ことを特徴とする請求項１〜５のいずれか１項に記載の照明器具。
【請求項７】
前記係止部は、少なくとも２つ設けられている
ことを特徴とする請求項１〜６のいずれか１項に記載の照明器具。
【請求項８】
前記２つの係止部は、前記カバー本体の前記一端部において、前記貫通方向及び前記並び方向に直交する方向における両端にそれぞれ配置されている
ことを特徴とする請求項７に記載の照明器具。
【発明の詳細な説明】
【技術分野】
【０００１】
本発明は、一般に照明器具に関し、より詳細には、常用照明と非常用照明を行う照明器具に関する。
【背景技術】
【０００２】
従来例として、特許文献１記載の照明器具を例示する。この従来例は、器具本体と、常用照明用の常用光源ユニットと、非常時照明用の非常用照明装置とを備えている。器具本体は、下面が開口する長尺かつ矩形の箱形に形成されている。常用光源ユニットは、複数のＬＥＤモジュールと、各ＬＥＤモジュールが取り付けられる取付部材と、各ＬＥＤモジュールを覆うようにして取付部材に取り付けられるカバーと、各ＬＥＤモジュールを点灯する電源装置とを備えている。常用光源ユニットは、器具本体の下面からカバーを露出するようにして器具本体内に収容される。
【０００３】
非常用照明装置は、非常用光源ユニットと、制御装置とを備える。非常用光源ユニットは、ＬＥＤモジュール、レンズ、カバー、非常用電源（蓄電池）などを備える。ＬＥＤモジュールの前方にレンズが配置される。カバーは、レンズを前方に露出するようにしてＬＥＤモジュールの前方に配置される。非常用電源は、ＬＥＤモジュールの後方に配置されている。制御装置は、常用電源から供給される電力で非常用電源を充電する充電回路と、常用電源の停電時に非常用電源を電源としてＬＥＤモジュールを点灯させる非常用電源回路とを備える。また、制御装置は、点検スイッチによる操作入力を受け取って点検動作を行う制御回路を備える。常用電源は、例えば、常用光源ユニットの電源装置に給電する電源（商用の交流電源）である。
【先行技術文献】
【特許文献】
【０００４】
【特許文献１】特開２０１６−１３４２０８号公報
【発明の概要】
【発明が解決しようとする課題】
【０００５】
ところで、この従来例では、非常用照明装置のカバーが、器具本体に対して、ばね部材を用いて固定されている。すなわち、作業者は、器具本体側に設けられたばね部材の引掛部を、カバーの一端部寄りに設けられた取付孔に嵌め込み、さらにカバーの他端部を器具本体に対してねじ止め固定している。しかし、この場合、作業者は、カバーの裏側の視認し難い位置で引掛部を取付孔に嵌め込む必要があるため、作業性が悪かった。
【０００６】
本発明は上記事由に鑑みてなされ、カバーの取付け作業性を向上することができる照明器具を提供することを目的とする。
【課題を解決するための手段】
【０００７】
本発明の一態様に係る照明器具は、常用照明を行う常用照明装置と、非常用照明を行う非常用照明装置と、前記常用照明装置及び前記非常用照明装置を互いに隣に並べて収容する器具本体とを備える。前記非常用照明装置は、非常用光源ユニットと、非常用電源ユニットと、制御装置と、カバーとを備える。前記制御装置は、前記非常用電源ユニットから供給される電力で前記非常用光源ユニットを点灯する。前記カバーは、前記非常用光源ユニットから放射される光が通過する孔を有して前記制御装置及び前記非常用光源ユニットを覆う。前記器具本体は、側板と突起とを有する。前記側板は、前記常用照明装置及び前記非常用照明装置が並ぶ並び方向における前記器具本体の一端に設けられ、前記制御装置と対向する。前記突起は、前記側板から前記制御装置に近づく向きに突出する。前記カバーは、カバー本体と、前記突起に係止される係止部と、前記係止部が前記突起に係止された係止状態で前記カバー本体を前記器具本体に固定する固定部とを有する。前記係止部は、前記並び方向における前記カバー本体の一端部に設けられている。前記固定部は、前記並び方向における前記カバー本体の前記一端部とは反対側の他端部に設けられている。前記係止部は、前記係止状態において前記突起が引っ掛かる第１部と、前記係止状態において前記器具本体の底部と前記第１部との間に位置する第２部と、を有する。前記突起と前記制御装置との間には、前記第２部が挿入されるための隙間が設けられている。前記第２部は、前記隙間の位置において、前記突起と接触して前記制御装置に近づく向きに弾性変形するように構成されている。さらに、前記第２部は、前記係止状態において、前記孔が貫通する貫通方向に沿って見たときに前記第１部と前記側板との間に位置する。
【発明の効果】
【０００８】
本発明は、カバーの取付け作業性を向上することができる、という利点がある。
【図面の簡単な説明】
【０００９】
【図１】図１Ａは、本発明の一実施形態に係る照明器具においてカバーが器具本体に取り付けられる前の状態の一部破断した要部側面図である。図１Ｂは、同上の照明器具においてカバーが器具本体に取り付けられた状態の一部破断した要部側面図である。
【図２】図２は、図１Ｂの要部拡大図である。
【図３】図３は、同上の照明器具の要部の下方から見た分解斜視図である。
【図４】図４は、同上の照明器具における非常用照明装置のカバーの上方から見た斜視図である。
【図５】図５は、同上の照明器具の下方から見た分解斜視図である。
【図６】図６Ａは、同上の照明器具の正面図である。図６Ｂは、同上の照明器具の平面図である。図６Ｃは、同上の照明器具の左側面図である。
【図７】図７は、同上の照明器具における非常用照明装置の下方から見た斜視図である。
【図８】図８Ａは、同上の照明器具における非常用照明装置の正面図である。図８Ｂは、同上の照明器具における非常用照明装置の平面図である。図８Ｃは、同上の照明器具における非常用照明装置の右側面図である。
【図９】図９Ａは、同上の照明器具における非常用照明装置の背面図である。図９Ｂは、同上の照明器具における非常用照明装置の下面図である。
【図１０】図１０は、同上の照明器具における非常用照明装置の下方から見た分解斜視図である。
【図１１】図１１は、同上の照明器具における非常用照明装置の断面図である。
【図１２】図１２は、同上の照明器具における非常用照明装置の下方から見た分解斜視図である。
【図１３】図１３は、同上の照明器具における非常用光源ユニット及び制御装置の下方から見た分解斜視図である。
【図１４】図１４は、同上の照明器具における非常用電源ユニットの下方から見た分解斜視図である。
【発明を実施するための形態】
【００１０】
（１）概要
以下に説明する構成は、本発明の一例に過ぎず、本発明は、下記の構成に限定されることはなく、下記の構成以外であっても、本発明に係る技術的思想を逸脱しない範囲であれば、設計等に応じて種々の変更が可能である。
【００１１】
本実施形態の照明器具１は、一例として、執務室などの天井に直付けされる天井直付け形の照明器具であることを想定する。ただし、照明器具１は、この限りではなく、天井埋込形の照明器具又は壁に取り付けられる照明器具であってもよい。本実施形態の照明器具１は、例えば図５に示すように、常用照明を行う常用照明装置２と、非常用照明を行う非常用照明装置３と、常用照明装置２及び非常用照明装置３を互いに隣に並べて収容する器具本体１０とを備えている。
【００１２】
非常用照明装置３は、図７〜図１２に示すように、非常用光源ユニット４と、非常用電源ユニット５と、制御装置６と、カバー７とを備えている。制御装置６は、非常用電源ユニット５から供給される電力で非常用光源ユニット４を点灯する。
【００１３】
カバー７は、非常用光源ユニット４から放射される光が通過する孔７１１を有して、制御装置６及び非常用光源ユニット４を覆う。器具本体１０は、側板（第２側板１３）と突起１００とを有している。側板（第２側板１３）は、常用照明装置２及び非常用照明装置３が並ぶ並び方向における器具本体１０の一端（左端）に設けられていて、制御装置６と対向する。突起１００は、側板（第２側板１３）から制御装置６に近づく向きに突出する。ここで言う「並び方向」とは、図５では左右方向に相当する。
【００１４】
カバー７は、カバー本体７０と、突起１００に係止される係止部７４と、係止部７４が突起１００に係止された状態（以下、「係止状態」という）でカバー本体７０を器具本体１０に固定する固定部７５と、を有する。本実施形態では、固定部７５は、矩形板状に形成されていて、ねじ１６（図１Ｂ参照）が挿入されるねじ挿通孔７５０（図３参照）を有する。
【００１５】
係止部７４は、並び方向におけるカバー本体７０の一端部（左端部）に設けられている。固定部７５は、並び方向におけるカバー本体７０の一端部とは反対側の他端部（右端部）に設けられている。
【００１６】
係止部７４は、係止状態において突起１００が引っ掛かる第１部（引掛部分７４００）と、係止状態において器具本体１０の底部（天板１１）と第１部との間に位置する第２部（湾曲部分７４０１）と、を有している。突起１００と制御装置６との間には、第２部が挿入されるための隙間１７が設けられている（図１Ａ及び図２参照）。第２部は、隙間１７の位置において、突起１００と接触して制御装置６に近づく向きに弾性変形するように構成されている。さらに、第２部は、係止状態において、孔７１１が貫通する貫通方向（上下方向）に沿って見たときに第１部と側板（第２側板１３）との間に位置する。
【００１７】
本実施形態の係止部７４は、一例として板ばね（弾性部材）である。本実施形態では第２部（湾曲部分７４０１）は、係止部７４（板ばね）の腕部７４０のうち、制御装置６から離れる方向に凸形状となるように形成されている部分である。なお、並び方向における隙間１７の寸法Ｄ１は、図２に示すように、係止状態における第２部（例えば頂点Ｐ２）から制御装置６までの距離Ｄ２より小さいように寸法関係が規定されている。
【００１８】
この構成では、カバー７の取付作業時に、作業者がカバー７の係止部７４を隙間１７から挿入し、器具本体１０の底部（天板１１）に向かって押し込むことで、第２部（湾曲部分７４０１）が突起１００と接触して制御装置６に近づく方向に弾性変形する。そして、第２部（湾曲部分７４０１）が突起１００を乗り越えて弾性復帰し、突起１００が第１部（引掛部分７４００）に引っ掛かることで、係止部７４が突起１００に係止された係止状態となる。つまり、カバー本体７０の一端部（左端部）が、隙間１７から脱落することなく器具本体１０に保持された状態となる。
【００１９】
特にこの構成では、係止部７４が器具本体１０ではなくカバー７に設けられていて、さらに、作業者が比較的視認し易いカバー７の一端部に配置されている。作業者は、係止部７４を視認しながら器具本体１０側の隙間１７から挿入して、器具本体１０の底部（天板１１）に向かって押し込むだけ、カバー７の保持状態が達成される。したがって、カバーの取付け作業性を向上することができる。なお、図２は、図１Ｂの要部の拡大図である。
【００２０】
（２）詳細
（２．１）全体構成
以下、本実施形態の照明器具１について、図１〜図１４を参照して詳しく説明する。以下では、特に断りの無い限り、照明器具１の上下、左右、前後の方向を、図５に図示されている上下、左右、前後の矢印を用いて規定して説明する。
【００２１】
本実施形態の照明器具１は、「（１）概要」の欄で説明したように、常用照明を行う常用照明装置２と、非常用照明を行う非常用照明装置３と、常用照明装置２及び非常用照明装置３を収容する器具本体１０とを備えている。
【００２２】
（２．２）器具本体
器具本体１０は、金属材料によって長尺の箱形に形成されている。器具本体１０は、長尺の矩形平板状の天板１１と、天板１１の長手方向（左右方向）に沿った２つの端縁のそれぞれから下向きに突出する一対の第１側板１２とを有している。器具本体１０は、さらに、天板１１の短手方向（前後方向）に沿った２つの端縁のそれぞれから下向きに突出する一対の第２側板１３を有している。さらに、器具本体１０は、天板１１に対向する下面に開口部１５（図５参照）を有している。天板１１には、電線を通すための孔１１０が左右方向におけるほぼ中央に設けられている。また、天板１１には、左右方向における両端寄りの位置に吊りボルトを通すための孔１１１がそれぞれ設けられている（図５参照）。さらに、天板１１の下面には、孔１１０から引き込まれる電線が結線される端子台１４が取り付けられている。
【００２３】
器具本体１０は、図６Ａに示すように、非常用照明装置３を左端近傍に収容するように構成され、非常用照明装置３の右側に常用照明装置２を収容するように構成されている。ただし、この限りではなく、器具本体１０は、非常用照明装置３を右端近傍に収容するように構成され、非常用照明装置３の左側に常用照明装置２を収容するように構成されてもよい。あるいは、器具本体１０は、２つの非常用照明装置３を左端近傍及び右端近傍の両方にそれぞれ収容するように構成されてもよい。この場合、常用照明装置２は、左右方向において、２つの非常用照明装置３の間に挟まれるように、器具本体１０内に収容される。
【００２４】
また、器具本体１０は、「（１）概要」の欄で説明したように、常用照明装置２及び非常用照明装置３が並ぶ並び方向（左右方向）における器具本体１０の一端（左端）に突起１００を有している（図５参照）。具体的には、器具本体１０の各第２側板１３は、その下端に常用照明装置２及び非常用照明装置３に向かって突出する突起１００を有している。各突起１００は、図５に示すように、下方から見て前後方向に延びる細長い矩形板状にある。各突起１００は、例えば折り曲げ加工によって第２側板１３と一体に形成されている。
【００２５】
本実施形態では、非常用照明装置３が器具本体１０の左端近傍に収容されるため、一対の第２側板１３のうち左端の第２側板１３の突起１００が、カバー７の係止部７４が係止されるための部位に相当する。カバー７の係止部７４が、この突起１００の先端（右端）と制御装置６の筐体６２との隙間１７に挿入されて突起１００に係止することで、器具本体１０に対するカバー７の左端部の保持が達成される。ただし、器具本体１０が非常用照明装置３を右端近傍に収容するように構成されている場合には、カバー７の係止部７４が一対の第２側板１３のうち右端の第２側板１３の突起１００に係止することで、カバー７の一端部の保持が達成されてもよい。なお、係止部７４については、後の「（２．４．７）カバーの係止部」の欄で詳しく説明する。
【００２６】
（２．３）常用照明装置
常用照明装置２は、常用光源と、常用光源が取り付けられる取付部材２１と、常用光源を覆う透光カバー２０と、常用光源を点灯する電源装置とを備えている。常用光源は、長尺の基板と、基板の表面に実装される多数のＬＥＤ（Light Emitting Diode）とを有している。取付部材２１は、金属材料によって長尺の樋状に形成されている。取付部材２１は、長尺の矩形板状に形成された底板と、底板の短手方向（前後方向）における両端から上向きに立ち上がる一対の側板２１０とを有している。常用光源は、取付部材２１の底板の下面に取り付けられる。電源装置は、端子台１４を介して常用電源（例えば、商用の交流電源）から供給される交流電力を直流電力に変換するように構成されている。電源装置は、取付部材２１の底板の上面に取り付けられる。常用光源と電源装置は、底板に設けられた挿通孔に挿通される電線によって電気的に接続される。常用光源は、電線を介して電源装置から直流電力が供給されることによって点灯する。
【００２７】
透光カバー２０は、アクリル樹脂やポリカーボネート樹脂などの透光性を有する合成樹脂材料により上面が開口する長尺の箱形に形成されている。透光カバー２０の下面は、短手方向（前後方向）において両端から中央に向かってなだらかに下向きに突出する曲面形状に形成されている（図５参照）。なお、透光カバー２０を形成する合成樹脂材料には、拡散剤が混入されている。すなわち、常用光源から放射される光は、透光カバー２０を透過する際に拡散される。
【００２８】
常用照明装置２は、透光カバー２０を除く部分（取付部材２１の側板２１０，２１０及び電源装置など）が器具本体１０内に収容され、器具本体１０の開口部１５の大部分を透光カバー２０で塞ぐようにして器具本体１０に着脱可能に取り付けられる。ただし、常用照明装置２を器具本体１０に着脱可能に取り付ける構造は、特許文献１に記載されている従来例と共通であるから、詳細な説明及び図示は省略する。
【００２９】
（２．４）非常用照明装置
（２．４．１）非常用照明装置の全体構成
次に、非常用照明装置３について、図７〜図１４を参照して詳細に説明する。非常用照明装置３は、「（１）概要」の欄で説明したように、非常用光源ユニット４と、非常用電源ユニット５と、制御装置６と、カバー７と、を備えている（図７〜図１０参照）。さらに、非常用照明装置３は、押さえ具８を備えている。
【００３０】
（２．４．２）非常用光源ユニット
非常用光源ユニット４は、図１２に示すように、ＬＥＤモジュール４０（光源）と、ホルダ４１と、一対の端子板４２と、放熱シート４３（図１１参照）と、レンズ４４とを有している。ＬＥＤモジュール４０は、矩形平板状の実装基板４００の中央に少なくとも１個のＬＥＤチップが実装されて構成されている。ＬＥＤチップは、例えば、青色光を放射する青色発光ダイオードであることが好ましい。また、ＬＥＤチップを含む実装基板４００の実装面（下面）は、ＬＥＤチップから放射される青色光を波長変換する蛍光物質が混入された封止樹脂４０１で被われている（図１２参照）。さらに、実装基板４００の対角の位置にある一対の角部の下面には、それぞれ電極が形成されている。一方の電極は、ＬＥＤチップのカソードと電気的に接続され、他方の電極は、ＬＥＤチップのアノードと電気的に接続されている。さらに、これら２つの電極は、一対の端子板４２のうちの対応する端子板４２と電気的に接続されている。
【００３１】
レンズ４４は、例えばガラス製であって、図１２に示すように、レンズ本体４４０と、レンズ本体４４０の周縁から外向きに突出する円環状の外鍔部４４１とを有している。レンズ４４は、図１１に示すように、非球面形状の入射面４４２及び出射面４４３を有し、いわゆるバットウイング（batwing）状の配光特性を実現する広角配光レンズであることが好ましい。ただし、レンズ４４は、ガラス繊維が混入されることで耐熱性（難燃性）が向上された合成樹脂材料（例えば、ポリカーボネート樹脂など）で形成されてもよい。レンズ本体４４０は、図１Ｂに示すように、カバー７の係止部７４が突起１００に係止した係止状態において、孔７１１からカバー７の外部に突出する。
【００３２】
放熱シート４３は、高熱伝導率、電気絶縁性及び難燃性を有するシリコーン樹脂製のシート材で構成される。放熱シート４３は、ＬＥＤモジュール４０の実装基板４００の上面に接触する。
【００３３】
ホルダ４１は、例えばポリカーボネート樹脂などの合成樹脂材料により、上下方向から見て、おおよそ菱形に形成される（図１２参照）。ホルダ４１は、ＬＥＤモジュール４０の発光面（下面）にレンズ４４のレンズ本体４４０を重ねるようにして、ＬＥＤモジュール４０とレンズ４４を保持している。また、ホルダ４１は、端子板保持部４１０を有している。端子板保持部４１０は、上向きに伸びた角筒状に形成され、一対の端子板４２を内部に収容して保持している（図１１〜図１３参照）。
【００３４】
（２．４．３）非常用電源ユニット
非常用電源ユニット５は、図１４に示すように、乾電池型の複数（図示例では５本）の蓄電池５０と、これら複数の蓄電池５０を収容する合成樹脂材料製のケース５１と、第１導体５４と、第２導体５５とを備えている。ケース５１は、ケースボディ５２とケースカバー５３を有する。ケースボディ５２は、矩形の底壁５２０と、底壁５２０の前後両端縁から下向きに突出する一対の第１側壁５２１とを有している。また、ケースボディ５２は、底壁５２０の右側の端縁から下向きに突出する第２側壁５２２と、底壁５２０の左側の端縁から下向きに突出する第３側壁５２３とを有している。ただし、第３側壁５２３は、第１側壁５２１，５２１及び第２側壁５２２よりも上下方向の高さを高くするように形成されている。
【００３５】
底壁５２０は、その下面から下向きに突出する５つの突台部５２６を有している。これら５つの突台部５２６は、底壁５２０の下面において左右方向に並んでいる。また、各突台部５２６の下面は、半円筒面形状に形成されている。各突台部５２６の下面に蓄電池５０が１本ずつ載せられて支持される。ただし、５つの突台部５２６のうちで左端の突台部５２６は、他の４つの突台部５２６よりも下方に位置している。
【００３６】
第１側壁５２１，５２１の各々は、一対の突片５２１０を有している。各突片５２１０は、矩形の板状に形成され、第１側壁５２１の下端から下に突出している。また、各突片５２１０は、その先端（下端）に三角柱状の爪５２１１を有している。ただし、前方の第１側壁５２１が有する各突片５２１０の爪５２１１は前方へ突出し、後方の第１側壁５２１が有する各突片５２１０の爪５２１１は後方へ突出している。
【００３７】
第２側壁５２２は、その右側面における下端から右向きに突出している突部５２４を有する。突部５２４は、おおよそ直方体状に形成されている。ただし、突部５２４の右下の辺は、凸曲面形状に形成されることが好ましい。
【００３８】
第３側壁５２３は、矩形の板状に形成されている。第３側壁５２３は、その左側面における前方の下部に、端子保持部５２７を有している。端子保持部５２７は、軸方向を上下方向に一致させた角筒状に形成されている。また、端子保持部５２７内の空間は、隔壁５２７０によって２つに区切られている（図１４参照）。また、端子保持部５２７は、その前面における上端部分に、矩形板状のガイド片５２７１を有している。ガイド片５２７１は、厚み方向を左右方向に一致させるようにして端子保持部５２７の前面から前方へ突出している。
【００３９】
ケースカバー５３は、矩形の第１底壁５３０と、第１底壁５３０の左側の端縁から左斜め下向きに突出する矩形の第１側壁５３１と、第１底壁５３０及び第１側壁５３１の前後両端縁から上向きに突出する一対の第２側壁５３２とを有している。また、ケースカバー５３は、第１底壁５３０の右側の端縁から上向きに突出する第３側壁５３３と、第１側壁５３１の左側の端縁から左向きに突出する第２底壁５３４とを有している。
【００４０】
各第２側壁５３２は、一対の貫通孔５３２０を有している。また、前方の第２側壁５３２は、階段状に形成されている。
【００４１】
第３側壁５３３は、突片５３３０を有している。突片５３３０は、第３側壁５３３の後端寄りの上端から上に突出している。また、突片５３３０は、その先端（上端）に三角柱状の爪５３３１を有している。爪５３３１は、突片５３３０の上端における右側面から右方へ突出している。
【００４２】
第２底壁５３４は、矩形の板状に形成されている。第２底壁５３４は、その前方左端に蓋部５３５を有している。蓋部５３５は、左右方向から見た形状がＵ字状となるように形成されている。
【００４３】
５本の蓄電池５０は、各々の径方向に沿って互い違いに並ぶように配置される。右端の蓄電池５０の負極端子に、第１導体５４の一端部（右端の端部）が電気的に接続される。また、左端の蓄電池５０の正極端子に、第２導体５５の一端部（右端の端部）が電気的に接続される。右端の蓄電池５０の正極端子と、右から２番目の蓄電池５０の負極端子とが導体板５６によって電気的に接続される。右から２番目の蓄電池５０の正極端子と、右から３番目の蓄電池５０の負極端子とが導体板５６によって電気的に接続される。左端の蓄電池５０の負極端子と、左から２番目の蓄電池５０の正極端子とが導体板５６によって電気的に接続される。右から３番目の蓄電池５０の正極端子と、左から２番目の蓄電池５０の負極端子とが導体板５６によって電気的に接続される。つまり、５本の蓄電池５０は、４枚の導体板５６によって電気的に直列接続されている。
【００４４】
第１導体５４は、金属板によってＳ字状に形成されている（図１４参照）。第１導体５４の長手方向の一端（右端）が右端の蓄電池５０の負極端子と電気的に接続される。第１導体５４は、その長手方向の他端（左端）に第１コンタクト５７を有している。第１コンタクト５７は、角筒状の枠体５７０と、枠体５７０内に収容されるばね体とを有している。ばね体は、枠体５７０の上端に結合され、枠体５７０内において左右方向に撓み可能となるように枠体５７０と一体に形成されている。第１導体５４は、上側の第１側壁５２１及び第３側壁５２３に沿ってケースボディ５２内に収容される。また、第１コンタクト５７は、端子保持部５２７内の２つの空間のうちで隔壁５２７０の上側の空間に収容される。
【００４５】
第２導体５５は、金属板によってＳ字状に形成されている。第２導体５５の長手方向の一端（右端）が左端の蓄電池５０の正極端子と電気的に接続される。第２導体５５は、その長手方向の他端（左端）に第２コンタクト５８を有している。第２コンタクト５８は、角筒状の枠体と、枠体内に収容されるばね体とを有している。ばね体は、枠体の上端に結合され、枠体内において左右方向に撓み可能となるように枠体と一体に形成されている。第２導体５５は、下側の第１側壁５２１及び第３側壁５２３に沿ってケースボディ５２内に収容される。また、第２コンタクト５８は、端子保持部５２７内の２つの空間のうちで隔壁５２７０の下側の空間に収容される。
【００４６】
ケースボディ５２にケースカバー５３が結合されることによってケース５１が組み立てられる（図１２参照）。ケースボディ５２が有する４つの突片５２１０がそれぞれ、ケースカバー５３が有する４つの貫通孔５３２０のうちの対応する貫通孔５３２０に挿入される。さらに、ケースカバー５３が有する突片５３３０が、ケースボディ５２の突部５２４に設けられている貫通孔５２４０に挿入される。そして、突片５２１０、５３３０の先端に設けられている爪５２１１、５３３１が、貫通孔５３２０、５２４０の縁にそれぞれ引っ掛かることでケースボディ５２とケースカバー５３が結合される。なお、ケースボディ５２の端子保持部５２７の下側の開口部は、ケースカバー５３の蓋部５３５が被さることで閉じられる（図１２参照）。
【００４７】
（２．４．４）制御装置
制御装置６は、図１３に示すように、第１回路ブロック６０、第２回路ブロック６１、筐体６２、及び放熱板６３を備えている。第１回路ブロック６０は、矩形板状の第１プリント配線板６００、複数種類の電子部品６０１、受け側コネクタ６４、入力端子台６０３、出力コネクタ６０２、及び第１コネクタ６０４を有している。複数の種類の電子部品６０１のうちでリード付きの電子部品６０１が第１プリント配線板６００の下面（部品面）に挿入実装されている。また、複数種類の電子部品６０１のうちで表面実装型の電子部品６０１が第１プリント配線板６００の上面（はんだ面）に表面実装されている。ただし、第１プリント配線板６００の部品面には、受け側コネクタ６４、入力端子台６０３、出力コネクタ６０２及び第１コネクタ６０４も挿入実装されている。
【００４８】
出力コネクタ６０２は、一対のコンタクト６０２０を有している（図１３参照）。出力コネクタ６０２の各コンタクト６０２０は、非常用光源ユニット４の一対の端子板４２のうちの対応する端子板４２と接触して導通する。
【００４９】
受け側コネクタ６４は、第１コンタクト受け６４１と、第２コンタクト受け６４２と、ベース６４０とを有している（図１３参照）。ベース６４０は、電気絶縁性を有した合成樹脂材料によって矩形の板状に形成されている。第１コンタクト受け６４１及び第２コンタクト受け６４２は棒状に形成されて、ベース６４０を厚み方向に貫通した状態でベース６４０に支持されている。第１コンタクト受け６４１は、非常用電源ユニット５の第１コンタクト５７の枠体５７０内に挿入された状態において、枠体５７０内のばね体によって枠体５７０に押し付けられることで第１コンタクト５７と電気的に接続される。第２コンタクト受け６４２は、非常用電源ユニット５の第２コンタクト５８の枠体内に挿入された状態において、枠体内のばね体によって枠体に押し付けられることで第２コンタクト５８と電気的に接続される。
【００５０】
第１回路ブロック６０は、第１プリント配線板６００に形成されているプリント配線と、第１プリント配線板６００の部品面及びはんだ面に実装されている複数種類の電子部品６０１とで構成されたプリント回路を有している。第１回路ブロック６０のプリント回路は、例えば、直流電源回路、充電回路、点灯回路、停電検出回路、制御回路を含んでいる。直流電源回路は、例えば、リンギングチョークコンバータなどの自励型のスイッチング電源回路で構成され、常用電源から入力端子台６０３に入力される交流電圧を直流電圧に変換するように構成されている。充電回路は、常用電源から給電されているときに受け側コネクタ６４を通して一定の充電電流を出力するように構成されている。点灯回路は、非常用電源ユニット５から受け側コネクタ６４に入力される直流電流を定電流化し、定電流化した出力電流を出力コネクタ６０２より非常用光源ユニット４に供給するように構成されている。停電検出回路は、直流電源回路の出力電圧から常用電源の停電を検出して制御回路に通知するように構成されている。制御回路は、停電検出回路が常用電源の停電を検出していないときに充電回路を動作させ、かつ、点灯回路を停止させるように構成されている。また、制御回路は、停電検出回路が常用電源の停電を検出しているときに充電回路を停止させ、かつ、点灯回路を動作させるように構成されている。
【００５１】
第２回路ブロック６１は、矩形板状の第２プリント配線板６１０、２つの押釦スイッチ６１１、６１２、表示素子６１３、受光素子６１４並びに第２コネクタ６１５を有している。第２コネクタ６１５は、第２プリント配線板６１０の下面における長手方向の一端（前端）に実装されている。一方の押釦スイッチ６１１は、第２プリント配線板６１０の下面における第２コネクタ６１５の後方に実装されている。他方の押釦スイッチ６１２は、第２プリント配線板６１０の下面における長手方向の他端（後端）に実装されている。表示素子６１３は、例えば、緑色光を放射するＬＥＤチップを有している。表示素子６１３は、第２プリント配線板６１０の下面における押釦スイッチ６１２の前方に実装されている。受光素子６１４は、赤外線を通信媒体とする制御信号を受信し、受信した制御信号から送信フレームを復調するように構成されている。この制御信号は、定期点検の作業を行う作業者に操作されるリモートコントローラから送信される。受光素子６１４は、第２プリント配線板６１０の下面における表示素子６１３と押釦スイッチ６１１の間に実装されている。第２コネクタ６１５は、例えば、ケーブルによって第１回路ブロック６０の第１コネクタ６０４と電気的に接続される。第１回路ブロック６０の制御回路は、ケーブルを通して各押釦スイッチ６１１、６１２の操作状態（オン及びオフ）を監視するように構成されている。また、制御回路は、受光素子６１４で復調される制御信号の送信フレームを、ケーブルを通して受け取るように構成されている。さらに、制御回路は、第１回路ブロック６０の充電回路が動作している場合、ケーブルを通して表示素子６１３に電流を流すことで表示素子６１３を発光させるように構成されている。
【００５２】
なお、制御回路は、一方の押釦スイッチ６１１がオンされた場合、及び受光素子６１４から送信フレームを受け取った場合、定期点検動作を行うように構成されている。定期点検動作とは、充電回路を停止させ、かつ、点灯回路を動作させることである。さらに、制御回路は、他方の押釦スイッチ６１２がオンされた場合、自己点検動作を行うように構成されている。自己点検動作とは、充電回路を停止するとともに点灯回路を数秒間動作させた後、再度、点灯回路を停止させ、かつ、充電回路を動作させることである。ただし、制御回路は、自己点検動作を行うように指示する送信フレームを受光素子６１４から受け取った場合も自己点検動作を行うように構成されることが好ましい。
【００５３】
筐体６２は、第１筐体６２０と第２筐体６２１を有している。第１筐体６２０は、底部６２００と、側壁部６２０１とを有している。底部６２００は、おおよそ矩形の箱形に形成されている。底部６２００は、第１回路ブロック６０の第１プリント配線板６００のはんだ面を厚み方向（上下方向）から支持するように構成されている。側壁部６２０１は、板状に形成されている。側壁部６２０１は、ヒンジを介して底部６２００に連結されている。ゆえに、側壁部６２０１は、ヒンジを軸にして底部６２００に対して回転可能となるように構成されている。また、側壁部６２０１は、第２回路ブロック６１の第２プリント配線板６１０の長手方向に沿った端部（左端部）を厚み方向から挟んで支持するように構成されている。
【００５４】
第２筐体６２１は、上面及び左側面が開放された箱状に形成されている。第２筐体６２１は、第１筐体６２０と結合される。第２筐体６２１の上面は、第１筐体６２０の底部６２００によって閉じられる。また、第２筐体６２１の左側面は、第１筐体６２０の側壁部６２０１によって閉じられる（図１１参照）。
【００５５】
第２筐体６２１は、下面の左端から下方へ突出する突台部６２１０を有している（図１３参照）。突台部６２１０は、おおよそ角錐台状に形成されている。突台部６２１０は、２つの操作部材（第１操作部材６２１４及び第２操作部材６２１５）を有している。第１操作部材６２１４は、突台部６２１０の下面における前端に設けられている。また、第２操作部材６２１５は、突台部６２１０の下面における後端に設けられている。第１操作部材６２１４及び第２操作部材６２１５は、突台部６２１０の下面に対して上下方向に移動可能となるように構成されている。つまり、上向きに押された第１操作部材６２１４が押釦スイッチ６１１の押釦を押すことにより、押釦スイッチ６１１がオンする。また、上向きに押された第２操作部材６２１５が押釦スイッチ６１２の押釦を押すことにより、押釦スイッチ６１２がオンする。さらに、突台部６２１０の下面において第１操作部材６２１４と第２操作部材６２１５の間に、円形の窓６２１６、６２１７が２つ設けられている。前方の窓６２１６は、上下方向において第２回路ブロック６１の受光素子６１４と対向している。後方の窓６２１７は、上下方向において第２回路ブロック６１の表示素子６１３と対向している。つまり、リモートコントローラから送信される制御信号は、前方の窓６２１６を通して受光素子６１４に到達する。また、表示素子６１３が発する光（緑色光）は、後方の窓６２１７を通して筐体６２の外に放射される。
【００５６】
また、第２筐体６２１は、右端に３つの開口部６２１１、６２１２、６２１３を有している。これら３つの開口部６２１１、６２１２、６２１３は、前後方向に沿って一列に並んでいる（図１３参照）。前端の開口部６２１１は、第１回路ブロック６０の受け側コネクタ６４と対向している。後端の開口部６２１３は、入力端子台６０３が挿通される。中央の開口部６２１２は、出力コネクタ６０２と対向している（図１２参照）。
【００５７】
放熱板６３は、非常用光源ユニット４が取り付けられる取付部６３０と、一対の脚部６３１と、一対の固定部６３２とを有している（図１３参照）。取付部６３０は、おおよそ台形状に形成されている。一対の脚部６３１は、平坦な板状に形成されて取付部６３０の前端及び後端から上方向へ突出している。一対の固定部６３２は、一対の脚部６３１の上端から前後方向に沿って互いに近付く向きに突出している。ただし、本実施形態では、取付部６３０と一対の脚部６３１と一対の固定部６３２とは、アルミ又はアルミ合金製の板材によって一体に形成されている。
【００５８】
放熱板６３は、取付部６３０を第２筐体６２１の下面に対向させ、一対の脚部６３１を第２筐体６２１の前面及び後面に対向させ、一対の固定部６３２を第１筐体６２０の底部６２００の上面に引っ掛けるようにして筐体６２に取り付けられる（図１２参照）。また、放熱板６３は、一対の脚部６３１に設けられている矩形の嵌合孔６３３のそれぞれに、第２筐体６２１の上面及び下面の上端から突出する突部６２１８を嵌合させることによって筐体６２に対して位置決めされている（図１２及び図１３参照）。
【００５９】
非常用光源ユニット４は、放熱板６３の取付部６３０に設けられているねじ孔６３００に対してホルダ４１がねじ止めされることによって取付部６３０に取り付けられている（図１０〜図１３参照）。また、非常用光源ユニット４は、第２筐体６２１の中央の開口部６２１２から露出する出力コネクタ６０２にホルダ４１の端子板保持部４１０が差込接続されることにより、制御装置６の第１回路ブロック６０と電気的に接続される（図１１参照）。さらに、ＬＥＤモジュール４０は、放熱シート４３を介して取付部６３０（放熱板６３）と熱的に結合される（図１１参照）。
【００６０】
制御装置６は、器具本体１０内の左端に収容される（図３参照）。制御装置６は、放熱板６３の一対の固定部６３２が天板１１にねじ止めされることによって器具本体１０に固定されることが好ましい。つまり、ＬＥＤモジュール４０が発する熱は、放熱シート４３から放熱板６３に伝導され、さらに、放熱板６３から器具本体１０に伝導されて放熱される。
【００６１】
ここで、本実施形態の照明器具１は、係止部７４が突起１００に係止した係止状態において、係止部７４の（後述する）腕部７４０が収容されるための収容空間１８を有している。具体的には、収容空間１８は、図１Ａ及び図１Ｂに示すように、左右方向において互いに対向する第２側板１３の内面と制御装置６の筐体６２の左端面との間に設けられている。要するに、制御装置６は、器具本体１０内の左端において、収容空間１８を形成するために、第２側板１３から離間して固定されている。
【００６２】
（２．４．５）押さえ具
押さえ具８は、図１０に示すように、主片８０、引掛片８１、側片８２、第１差込片８３、第２差込片８４、及び第３差込片８５を有している。なお、本実施形態では、主片８０、引掛片８１、側片８２、第１差込片８３、第２差込片８４及び第３差込片８５は、金属板によって一体に形成されている。
【００６３】
主片８０は、下方から見てＬ字状に形成されている。主片８０は、雌ねじ部８００を有している。引掛片８１は、円弧状に湾曲した湾曲部８１０と、湾曲部８１０と主片８０を連結する連結部８１１と、湾曲部８１０の下端から突出する矩形の平坦部８１２とを有している（図８Ａ〜８Ｃ及び図１０参照）。引掛片８１は、連結部８１１によって主片８０の左端の下部と連結されている。なお、引掛片８１は、連結部８１１が厚み方向に撓むことにより、湾曲部８１０を左右方向に変位可能とするように構成されている。側片８２は、矩形に形成されている。側片８２は、主片８０の後端から下向き及び左向きに突出している。側片８２の下部は後方に向かって傾斜している。第１差込片８３及び第２差込片８４は、前後方向から見てＬ字状に形成されている（図８Ｂ及び図９Ｂ参照）。なお、第２差込片８４は、主片８０に切り起こし形成されることが好ましい。第３差込片８５は、前後方向から見てＬ字状に形成されている（図８Ｂ及び図９Ｂ参照）。第３差込片８５は、側片８２の左端の上端から上方向へ突出している（図８Ｂ参照）。
【００６４】
押さえ具８は、天板１１を貫通する３つの孔に第１差込片８３、第２差込片８４及び第３差込片８５が一対一に対応して差し込まれ、第１差込片８３、第２差込片８４及び第３差込片８５のそれぞれが天板１１を挟むように構成されている。そして、押さえ具８は、天板１１に設けられるねじ挿通孔に挿通されたねじが主片８０の雌ねじ部８００にねじ込まれることによって天板１１の下面に取り付けられる。
【００６５】
非常用電源ユニット５は、器具本体１０の天板１１に取り付けられた制御装置６と押さえ具８の間に配置される（図３参照）。非常用電源ユニット５は、ケースボディ５２を天板１１に対向させた状態で器具本体１０内の制御装置６と押さえ具８の間の空間に収容される。非常用電源ユニット５の端子保持部５２７は、第２筐体６２１の前端の開口部６２１１を通して筐体６２内に挿入される。このとき、端子保持部５２７のガイド片５２７１が、第２筐体６２１の前面の右端に設けられているガイド溝６２１９に案内される（図１０参照）。そして、非常用電源ユニット５の第１コンタクト５７が、制御装置６の第１コンタクト受け６４１と電気的に接続される。また、非常用電源ユニット５の第２コンタクト５８が、制御装置６の第２コンタクト受け６４２と電気的に接続される。さらに、非常用電源ユニット５は、ケース５１に設けられた突部５２４に、押さえ具８の引掛片８１の湾曲部８１０を引っ掛けることによって押さえ具８に支持される（図８Ａ及び図１２参照）。ここで、引掛片８１は、平坦部８１２に加えられる力によって連結部８１１が撓むと、湾曲部８１０が右向きに変位して湾曲部８１０と突部５２４との引っ掛かりが解除される。そして、非常用電源ユニット５は、湾曲部８１０と突部５２４との引っ掛かりが解除された状態で下向きに引っ張られると、第１コンタクト５７及び第２コンタクト５８が第１コンタクト受け６４１及び第２コンタクト受け６４２から引き抜かれる。つまり、作業者は、非常用電源ユニット５の器具本体１０への収容作業とほぼ同時に非常用電源ユニット５と制御装置６との電気的な接続作業を完了させることができる。また、作業者は、非常用電源ユニット５の器具本体１０からの取り外し作業とほぼ同時に非常用電源ユニット５と制御装置６との電気的な接続解除作業を完了させることができる。
【００６６】
（２．４．６）カバー
カバー７は、非常用光源ユニット４から放射される光が通過する孔７１１を有して、制御装置６及び非常用光源ユニット４を覆うように構成されている。ただし、本実施形態のカバー７は、制御装置６及び非常用光源ユニット４以外に、非常用電源ユニット５も覆うように構成されている。カバー７は、図１Ａ、１Ｂ、図３及び図４に示すように、カバー本体７０と、一対の係止部７４，７４（図１Ａ及び１Ｂでは一方のみ図示）と、固定部７５とを有している。
【００６７】
カバー本体７０は、図４に示すように、第１カバー体７１と第２カバー体７２と連結体７３とから構成されている。第１カバー体７１は、非常用光源ユニット４、制御装置６及び非常用電源ユニット５の一部（左端部）を下から覆うように構成されている。第２カバー体７２は、非常用電源ユニット５の残り全部を下から覆うように構成されている。第１カバー体７１と第２カバー体７２は、前後方向から見てＬ字状に形成されている長尺の連結体７３によって左右方向に並ぶように連結されている。本実施形態では、第１カバー体７１、第２カバー体７２及び連結体７３は、金属のような不燃性の材料によって一体に形成される。カバー７は、例えばアルミダイカストで構成される。
【００６８】
第１カバー体７１は、上面に矩形状の開口部７１６（図４参照）を有した箱形に形成されている。第１カバー体７１は、図８Ａに示すように、下方から見たときに矩形状に形成されている。第１カバー体７１の下面は、常用照明装置２の透光カバー２０と同様に、短手方向（前後方向）において両端から中央に向かってなだらかに下向きに突出する曲面形状に形成されている（図３参照）。第１カバー体７１の下面に窪み７１０が形成されている。窪み７１０は、下方から見た形状が楕円形に形成されている。孔７１１は、窪み７１０の中央（底）に、上下方向に貫通して設けられている。孔７１１は、レンズ４４のレンズ本体４４０が挿通可能な形状（楕円形状）に形成されている。窪み７１０は、その長軸方向（左右方向）の両端を、その短軸方向（前後方向）の両端よりも下方へ突出させるように形成されている（図８Ｂ参照）。
【００６９】
第２カバー体７２は、前後方向から見てＬ字状に形成されていて、非常用電源ユニット５の一部を覆うように構成されている（図１Ｂ参照）。具体的には、第２カバー体７２は、平坦部７２０と腕部７２１とを有している。平坦部７２０は、おおよそ矩形平板状に形成されている。平坦部７２０は、その左端において連結体７３と連結されている。腕部７２１は、おおよそ矩形平板状に形成されている。腕部７２１は、平坦部７２０の右端における前端から上方へ立ち上るように構成されている（図４参照）。
【００７０】
固定部７５は、おおよそ矩形平板状に形成されている。固定部７５は、腕部７２１の上端から右方へ突出するように構成されている。また、固定部７５は、その前方寄りの右隅に円形のねじ挿通孔７５０を有している。
【００７１】
係止部７４，７４は、常用照明装置２及び非常用照明装置３が並ぶ「並び方向」、すなわち左右方向における、カバー本体７０の一端部（左端部）に設けられている。言い換えると、係止部７４，７４は、第１カバー体７１の左端部に設けられている。係止部７４は、器具本体１０の突起１００に係止するための部位である。
【００７２】
以下、第１カバー体７１について、さらに具体的に説明する。第１カバー体７１は、図４に示すように、第１側壁部７１Ａ及び第２側壁部７１Ｂと、左右方向において第１側壁部７１Ａ及び第２側壁部７１Ｂを互いに対向するように連結する湾曲底部７１Ｃとから構成されている。第１側壁部７１Ａ、第２側壁部７１Ｂ及び湾曲底部７１Ｃは、一体となって形成されている。
【００７３】
第１側壁部７１Ａは、湾曲底部７１Ｃの左側に配置され、第２側壁部７１Ｂは、湾曲底部７１Ｃの右側に配置されている。第１側壁部７１Ａ及び第２側壁部７１Ｂの各々は、左右方向に沿って見たときにその下辺が略円弧状に形成されている。第２側壁部７１Ｂの上端部は、連結体７３によって第２カバー体７２と連結している。
【００７４】
湾曲底部７１Ｃは、上下方向に沿って見たときに矩形状に形成されており、左右方向に沿って見たときに下向きに突出する曲面形状に形成されている。第１カバー体７１の開口部７１６の周縁は、図４に示すように、湾曲底部７１Ｃの前側及び後側の上端部と、第１側壁部７１Ａ及び第２側壁部７１Ｂの上端部とによって形成されている。
【００７５】
湾曲底部７１Ｃは、上述した窪み７１０及び孔７１１を有している。非常用光源ユニット４のレンズ本体４４０は、カバー７が器具本体１０に取り付けられた状態において、孔７１１に挿通されてカバー７の外に露出する。また湾曲底部７１Ｃは、第１貫通孔７１２と、第２貫通孔７１３と、第３貫通孔７１４と、第４貫通孔７１５とを有している（図８Ａ参照）。
【００７６】
第１貫通孔７１２は、カバー７が器具本体１０に取り付けられた状態において、制御装置６の第１操作部材６２１４と対向している。第１操作部材６２１４は、第１貫通孔７１２に挿通される治具によって押操作される。制御装置６の第２操作部材６２１５は、カバー７が器具本体１０に取り付けられた状態において、第４貫通孔７１５に挿通されている。第２操作部材６２１５は、例えば、人の指によって押操作される。第２貫通孔７１３は、カバー７が器具本体１０に取り付けられた状態において、制御装置６の受光素子６１４と対向している。第３貫通孔７１４は、カバー７が器具本体１０に取り付けられた状態において、制御装置６の表示素子６１３と対向している。つまり、リモートコントローラから送信される制御信号は、第２貫通孔７１３を通して受光素子６１４に到達する。また、表示素子６１３が発する光（緑色光）は、第３貫通孔７１４を通してカバー７の外に放射される。
【００７７】
第１カバー体７１は、カバー７が器具本体１０に取り付けられた状態において、第１側壁部７１Ａが制御装置６の筐体６２の左端面よりも左方に配置されるように、寸法関係が規定されている（図１Ｂ参照）。
【００７８】
（２．４．７）カバーの係止部
以下、一対の係止部７４，７４について、具体的に説明する。係止部７４，７４は、常用照明装置２及び非常用照明装置３が並ぶ「並び方向」、すなわち左右方向における、カバー本体７０の一端部（左端部）に設けられている。言い換えると、係止部７４，７４は、第１カバー体７１の左端部に設けられている。各係止部７４は、カバー７を器具本体１０の突起１００に係止するための部位である。本実施形態では、各係止部７４は、一例として板ばね（弾性部材）である。
【００７９】
本実施形態では、各係止部７４は、例えば、細長い略矩形板状の一枚の金属板に折り曲げ加工を施すことによって形成されている。各係止部７４は、図１Ａ及び図２に示すように、腕部７４０と基部７４１とから構成されている。腕部７４０は、前後方向に沿って見たときに、全体として略Ｓ字状に湾曲している。腕部７４０は、係止部７４の「係止状態」において、収容空間１８に収まる。基部７４１は、全体として略矩形板に形成されていて、左端部がやや右斜め上方向に折り曲げられている。基部７４１は、ねじ７６が挿通するための貫通孔を有している。この貫通孔は、基部７４１の厚み方向（上下方向）に貫通している。腕部７４０は、基部７４１の左端から上方向に突出するように設けられている。言い換えると、腕部７４０の基端７４０Ａは、基部７４１の左端に位置する。
【００８０】
腕部７４０は、図２に示すように、引掛部分７４００（第１部）と湾曲部分７４０１（第２部）と延長部分７４０２とから構成されている。
【００８１】
引掛部分７４００は、図２に示すように、腕部７４０の基端７４０Ａ側に設けられている。引掛部分７４００の基端は、腕部７４０の基端７４０Ａに相当する。引掛部分７４００は、制御装置６に近づく方向（右方向）に凸形状となるように形成されている。本実施形態における係止部７４の「係止状態」は、突起１００の先端が、引掛部分７４００に引っ掛かることにより達成される。
【００８２】
湾曲部分７４０１は、図２に示すように、係止状態において、器具本体１０の天板１１と引掛部分７４００との間に位置する。湾曲部分７４０１は、引掛部分７４００の先端から連続して左斜め上方向に延びている。湾曲部分７４０１は、制御装置６から離れる方向（左方向）に凸形状となるように形成されている。本実施形態では、湾曲部分７４０１は、滑らかな曲面を有するように湾曲している。
【００８３】
ここで、突起１００と制御装置６との間には、湾曲部分７４０１及び延長部分７４０２が挿入されるための隙間１７が設けられている（図１Ａ及び図２参照）。湾曲部分７４０１は、隙間１７を通じて収容空間１８内に挿入されるとき、隙間１７の位置において、突起１００と接触して制御装置６に近づく向きに弾性変形するように構成されている。さらに、湾曲部分７４０１は、係止状態において、上下方向に沿って見たときに引掛部分７４００と第２側板１３との間に位置する。なお、左右方向における隙間１７の寸法Ｄ１は、係止状態における腕部７４０の湾曲部分７４０１（例えば頂点Ｐ２）から制御装置６までの距離Ｄ２より小さくなるように寸法関係が規定されている（図２参照）。
【００８４】
延長部分７４０２は、湾曲部分７４０１の先端から連続して上方向に延びている。延長部分７４０２の先端は、腕部７４０の先端７４０Ｂに相当する。本実施形態では、湾曲部分７４０１と延長部分７４０２との境界Ｐ１は、一例として、カバー７を上下方向に沿って見たときに、基端７４０Ａと一致する箇所と規定している（図２の点線Ａ１参照）。延長部分７４０２は、カバー７を上下方向に沿って見たときに、基端７４０Ａと制御装置６との間に配置されている。延長部分７４０２の先端（すなわち腕部７４０の先端７４０Ｂ）は、係止状態において、左右方向に互いに対向する第２側板１３と制御装置６との間に配置される。本実施形態では、延長部分７４０２の先端は、係止状態において、制御装置６と接触している。
【００８５】
係止部７４，７４は、図４に示すように、第１カバー体７１に設けられた角柱状の一対のリブ７１７，７１７に、それぞれ取り付けられている。具体的には、第１カバー体７１は、その内側において上方向に立ち上るように形成された角柱状の一対のリブ７１７，７１７を有している。一対のリブ７１７，７１７は、第１側壁部７１Ａの右側面の前端及び後端に一体となってそれぞれ形成されている。各リブ７１７は、その上端面にねじ孔を有している。各係止部７４の基部７４１は、対応するリブ７１７の上端面にねじ７６を用いてねじ止めされている。要するに、係止部７４，７４は、カバー本体７０の一端部の前後方向における両端にそれぞれ配置されている。
【００８６】
各リブ７１７と第１側壁部７１Ａとの間には、隙間があってもよい。つまり、各リブ７１７は、第１側壁部７１Ａと一体となって形成される代わりに、湾曲底部７１Ｃの上面から直接上方向に立ち上るように形成されていてもよい。
【００８７】
このように各係止部７４は、第１側壁部７１Ａの内側に配置されたリブ７１７に取り付けられているため、腕部７４０の基端７４０Ａは、左右方向において、第１側壁部７１Ａの上端面７１８（図１Ａ参照）よりも内側に配置されている。言い換えれば、腕部７４０は、カバー７を孔７１１が貫通する貫通方向（上下方向）に沿って見たときに、その基端７４０Ａが、カバー本体７０と重なる位置となるように配置されている。したがって、カバー７を上下方向に沿って見たときに、凸形状の湾曲部分７４０１が第１側壁部７１Ａを超えて外側に突出する突出量を抑えることができ、カバー７及び器具本体１０の大型化を抑制することができる。また、当該突出量を抑えることで、カバー７の取付け作業時等において、湾曲部分７４０１が他の部材と接触して破損してしまう可能性を低減することができる。またこの場合、係止状態において、器具本体１０の左端の第２側板１３の左端面と第１カバー体７１の第１側壁部７１Ａの左端面との間に生じる段差を抑えることができ、照明器具１の見栄えをよくすることもできる（図１Ｂ参照）。
【００８８】
本実施形態では、上述の通り腕部７４０の基端７４０Ａが左右方向において第１側壁部７１Ａの上端面７１８よりも内側に配置されているため、引掛部分７４００と上端面７１８とによって凹所７７が形成されている。そのため、突起１００は、係止状態において、凹所７７に嵌まることになる。したがって、基端７４０Ａが第１側壁部７１Ａよりも外側に配置されている場合（すなわち、凹所７７が形成されていない場合）に比べて、カバー７の一端部（左端部）の下方向の脱落だけでなく上方向への位置ずれも規制することができる。なお、突起１００は、係止状態において、第１側壁部７１Ａの上端面７１８と接触していてもよいし、接触しない程度の隙間が突起１００と上端面７１８との間に設けられていてもよい。
【００８９】
（２．４．８）腕部の延長部分
ところで、本実施形態では、図２に示すように、上下方向における腕部７４０の長さ寸法Ｌ１は、孔７１１から突出したレンズ本体４４０の突出寸法Ｌ２よりも大きくなるように寸法関係が規定されている。また、図２に示すように、この長さ寸法Ｌ１は、突起１００から天板１１までの距離Ｌ３よりも小さくなるように寸法関係が規定されている。腕部７４０は、このような寸法関係を達成するために、上述した延長部分７４０２を有している。
【００９０】
そのため、カバー７の取付け時に、作業者は、腕部７４０を隙間１７に挿入してカバー７を上に押し込むことで、レンズ本体４４０を、孔７１１の周縁と接触することなく孔７１１に通すことができる。つまり、作業者とっては、主に腕部７４０と隙間１７との位置関係を確認するだけでよく、レンズ本体４４０と孔７１１との正確な位置関係を把握する手間を省くことができ（作業性の向上）、レンズ本体４４０の接触による破損も防ぐことができる。
【００９１】
更に、延長部分７４０２は、隙間１７への挿入時にその先端が制御装置６と接触するように寸法関係が規定されていることが好ましい。この場合、カバー７の取付け時に、作業者は、延長部分７４０２を制御装置６の筐体６２の左端面に当てながらカバー７を上に押し込むことができる。言い換えると、筐体６２の左端面が、腕部７４０の挿入をガイドするガイド面として機能する。筐体６２の左端面がガイド面として機能することで、レンズ本体４４０が孔７１１の周縁と接触することをより効果的に防ぐことができる。
【００９２】
（３）カバーの取付け作業
以下に、非常用照明装置３のカバー７の取付け作業について説明する。なお、非常用照明装置３の構成要素のうち、カバー７を除く、非常用光源ユニット４、非常用電源ユニット５、制御装置６及び押さえ具８は、図３に示すように、予め器具本体１０内に収容されていることを想定する。
【００９３】
まず作業者は、カバー７を把持し、カバー７の開口部７１６を上に向けながら、カバー７の長手方向が器具本体１０の長手方向とおおむね平行となるようにカバー７の向きを調整する（図１Ａ参照）。そして、作業者は、係止部７４，７４が隙間１７の真下、すなわち隙間１７と対向するようにカバー７の位置を調整する。ここで、係止部７４がカバー７の左端部に設けられているため、さらに、隙間１７が下方向に開口しているため、作業者は、係止部７４及び隙間１７を容易に視認することができる。
【００９４】
続いて作業者は、カバー７を器具本体１０へ近づけて、腕部７４０の先端７４０Ｂを隙間１７から挿入する。そして、作業者は、腕部７４０の延長部分７４０２の右面を、制御装置６の筐体６２の左端面に当てて、延長部分７４０２が当該左端面に沿って上方向へスライド移動するように、カバー７を上に押し込む。すると、湾曲部分７４０１の頂点Ｐ２付近が突起１００の先端と接触し、腕部７４０は、頂点Ｐ２が制御装置６に近づくように弾性変形する。要するに、腕部７４０は、突起１００の先端との接触により、全体的に押し潰れるように撓む。
【００９５】
カバー７がさらに上へ押し込まれると、湾曲部分７４０１が突起１００の先端を乗り越えることで、腕部７４０は、収容空間１８内に収まり、再び元の形状へ戻る。つまり、腕部７４０は、湾曲部分７４０１の頂点Ｐ２が制御装置６から離れるように弾性復帰する。そして、突起１００が引掛部分７４００に引っ掛かることで、係止部７４の「係止状態」が達成され、カバー７の左端部が器具本体１０に保持される（図１Ｂ参照）。すなわち、カバー７の左端部は、隙間１７から下方向へ脱落しない状態となる。また、突起１００は、凹所７７に嵌め込まれているため、カバー７の左端部は、下方向への脱落だけでなく、上方向への位置ずれも規制される。さらに同時にレンズ本体４４０の孔７１１への挿入も達成される。
【００９６】
最後に作業者は、ねじ１６（図１Ｂ参照）を固定部７５のねじ挿通孔７５０（図３参照）と、押さえ具８の主片８０に設けられたねじ挿通孔８０１（図３参照）とに挿通し、器具本体１０の天板１１に設けられている雌ねじにねじ込む。その結果、カバー７の取付け作業が完了する。
【００９７】
このように、本実施形態の照明器具１によれば、特許文献１の照明器具と異なり、係止部７４，７４と隙間１７とが作業者にとって視認し易い位置に設けられている。したがって、本実施形態の照明器具１は、カバー７の取付け作業性を向上することができる。
【００９８】
なお、作業者は、カバー７の取付け作業が完了した後に、常用照明装置２を器具本体１０に対して取り付ける。このとき、常用照明装置２は、その左端部でカバー７の第２カバー体７２を覆いながらも、カバー７の第１カバー体７１と左右方向に沿って並ぶように配置されることになる。
【００９９】
（４）変形例
以下に、いくつかの変形例について列記する。以下では上述した実施形態を「基本例」と呼ぶ。以下に説明する変形例も、上述した基本例と適宜組み合わせて適用可能である。
【０１００】
基本例では、係止部７４は、板ばねであるが、例えば線ばねであってもよい。
【０１０１】
基本例では、腕部７４０の湾曲部分７４０１は、滑らかな曲面を有するように湾曲しているが、例えばＬ字状に折れ曲がるように形成されていてもよい。ただし、基本例のように湾曲部分７４０１が滑らかな曲面を有している方が、突起１００との接触による摩擦抵抗を減らすことができるため、作業者のカバー７の取付けが容易となる。
【０１０２】
基本例では、腕部７４０は、延長部分７４０２を有しているが、延長部分７４０２は、腕部７４０の必須な構成要素ではなく、例えば、腕部７４０は、引掛部分７４００及び湾曲部分７４０１のみを有していてもよい。ただし、上述の通り、作業性を考慮すれば、腕部７４０は、延長部分７４０２を有していた方が望ましい。なお、延長部分７４０２を有さない場合、更に、湾曲部分７４０１は、例えば基本例の半分程度（基端７４０Ａから頂点Ｐ２付近まで）の長さ寸法であってもよい。
【０１０３】
基本例では、係止部７４の数は、一例として２つである。しかし、係止部７４の数は、１つでもよいし、３つ以上であってもよい。ただし、器具本体１０に対するカバー７の取付けの安定性及び作業性、並びにカバー７の製造コスト面を考慮すれば、基本例のように２つの係止部７４が、カバー本体７０の左端部の前後方向における両端にそれぞれ配置されていることが望ましい。
【０１０４】
基本例では、各係止部７４は、リブ７１７に対してねじ止めされている。つまり、基本例では、各係止部７４は、カバー本体７０と別体である。しかし、この限りではなく、各係止部７４は、カバー本体７０と一体に形成されていてもよい。また、各係止部７４は、カバー本体７０と別体であっても、ねじ止め以外に、かしめ又は溶接等によってリブ７１７に固定されていてもよい。
【０１０５】
基本例では、カバー本体７０の右端部は、固定部７５のねじ挿通孔７５０を通じて、ねじ止めにより器具本体１０の天板１１に保持される。しかし、ねじ止めに限定されず、カバー本体７０の右端部も、例えば左端部と同様に板ばねのような弾性部材を用いて、器具本体１０の天板１１に保持されてもよい。
【０１０６】
（５）利点
以上説明したように、第１の態様に係る照明器具１は、常用照明を行う常用照明装置２と、非常用照明を行う非常用照明装置３と、常用照明装置２及び非常用照明装置３を互いに隣に並べて収容する器具本体１０とを備える。非常用照明装置３は、非常用光源ユニット４と、非常用電源ユニット５と、制御装置６と、カバー７とを備える。制御装置６は、非常用電源ユニット５から供給される電力で非常用光源ユニット４を点灯する。カバー７は、非常用光源ユニット４から放射される光が通過する孔７１１を有して、制御装置６及び非常用光源ユニット４を覆う。器具本体１０は、側板（第２側板１３）と突起１００とを有する。側板（第２側板１３）は、常用照明装置２及び非常用照明装置３が並ぶ並び方向における器具本体１０の一端に設けられ、制御装置６と対向する。突起１００は、側板（第２側板１３）から制御装置６に近づく向きに突出する。カバー７は、カバー本体７０と、突起１００に係止される係止部７４と、係止部７４が突起１００に係止された係止状態でカバー本体７０を器具本体１０に固定する固定部７５とを有する。係止部７４は、上記並び方向におけるカバー本体７０の一端部に設けられている。固定部７５は、上記並び方向におけるカバー本体７０の一端部とは反対側の他端部に設けられている。
【０１０７】
ここで、係止部７４は、係止状態において突起１００が引っ掛かる第１部（引掛部分７４００）と、係止状態において器具本体１０の底部（天板１１）と第１部との間に位置する第２部（湾曲部分７４０１）と、を有している。突起１００と制御装置６との間には、第２部が挿入されるための隙間１７が設けられている。第２部は、隙間１７の位置において、突起１００と接触して制御装置６に近づく向きに弾性変形するように構成されている。さらに、第２部は、係止状態において、孔７１１が貫通する貫通方向（上下方向）に沿って見たときに第１部と側板（第２側板１３）との間に位置する。
【０１０８】
第１の態様によれば、係止部７４が作業者にとって視認し易いカバー７の一端部に設けられているため、特許文献１の照明器具に比べてカバー７の取付け作業性を向上することができる。また、特許文献１の照明器具に比べて簡単な構造でありながらも、作業性の向上を達成することができる。
【０１０９】
第２の態様に係る照明器具１に関して、第１の態様において、係止部７４は、板ばねであることが好ましい。この場合、板ばねは、カバー本体７０の一端部から器具本体１０の底部（天板１１）に向かって突出する腕部７４０を有することが好ましい。腕部７４０は、第１部（引掛部分７４００）及び第２部（湾曲部分７４０１）を含むことが好ましい。非常用光源ユニット４は、光源（ＬＥＤモジュール４０）と、光源を覆うように配置されたレンズ４４とを有することが好ましい。レンズ４４は、係止状態において孔７１１からカバー７の外部に突出するレンズ本体４４０を有することが好ましい。上記貫通方向において、腕部７４０の長さ寸法Ｌ１は、孔７１１から突出したレンズ本体４４０の突出寸法Ｌ２よりも大きく、突起１００から底部（天板１１）までの距離Ｌ３よりも小さいことが好ましい。
【０１１０】
第２の態様によれば、カバー７の取付け時に、作業者は、腕部７４０を隙間１７に挿入してカバー７を上に押し込むことで、レンズ本体４４０を孔７１１の周縁と接触することなく孔７１１に通すことができる。つまり、作業者とっては、主に腕部７４０と隙間１７との位置関係を確認するだけでよく、レンズ本体４４０と孔７１１との正確な位置関係を把握する手間を省くことができ（作業性の向上）、レンズ本体４４０の接触による破損も防ぐことができる。また、係止部７４が板ばねであることから、簡単な構造でありながらも、作業性の向上を達成することができる。
【０１１１】
第３の態様に係る照明器具１に関して、第１の態様又は第２の態様において、係止部７４は、板ばねであることが好ましい。この場合、板ばねは、カバー本体７０の一端部から器具本体１０の底部（天板１１）に向かって突出する腕部７４０を有することが好ましい。腕部７４０は、第１部（引掛部分７４００）及び第２部（湾曲部分７４０１）を含むことが好ましい。第２部は、制御装置６から離れる方向に凸形状となるように形成されていることが好ましい。腕部７４０は、上記貫通方向に沿って見たときに、少なくともその基端７４０Ａが、カバー本体７０と重なる位置となるように配置されることが好ましい。
【０１１２】
第３の態様によれば、カバー７を孔７１１の貫通方向に沿って見たときに、凸形状の第２部（湾曲部分７４０１）がカバー本体７０の外側に突出する突出量を抑えることができ、カバー７及び器具本体１０の大型化を抑制することができる。また、当該突出量を抑えることで、カバー７の取付け作業時等において、腕部７４０が他の部材と接触して破損してしまう可能性を低減することができる。また、係止部７４が板ばねであることから、簡単な構造でありながらも、作業性の向上を達成することができる。
【０１１３】
第４の態様に係る照明器具１に関して、第３の態様において、腕部７４０の先端７４０Ｂは、上記貫通方向に沿って見たときに、腕部７４０の基端７４０Ａと制御装置６との間に配置されることが好ましい。第４の態様によれば、カバー７の取付け時に、作業者は、例えば、腕部７４０の先端７４０Ｂを制御装置６の端面に当てながら腕部７４０を隙間１７内に押し込むことができる。要するに、制御装置６の端面を、腕部７４０の先端７４０Ｂをガイドするためのガイド面として機能させることができる。したがって、カバー７の取付け作業性がより向上される。
【０１１４】
第５の態様に係る照明器具１に関して、第２の態様〜第４の態様のいずれか１つにおいて、第１部（引掛部分７４００）は、腕部７４０の基端側に設けられていることが好ましい。また、腕部７４０の先端７４０Ｂは、係止状態において、器具本体１０の側板（第２側板１３）と制御装置６との間に配置されることが好ましい。第５の態様によれば、カバー７が器具本体１０に取り付けられた状態において、腕部７４０が器具本体１０内に全て収容されるため、照明器具１の大型化を抑制することができる。また、腕部７４０が照明器具１の外部に露出することを防ぐことができ、照明器具１の見栄えをよくすることもできる。
【０１１５】
第６の態様に係る照明器具１に関して、第１の態様〜第５の態様のいずれか１つにおいて、係止部７４は、カバー本体７０と一体となって形成されていることが好ましい。第６の態様によれば、係止部７４がカバー本体７０と別体となっている場合に比べて、部材点数を抑えることができる。
【０１１６】
第７の態様に係る照明器具１に関して、第１の態様〜第６の態様のいずれか１つにおいて、係止部７４は、少なくとも２つ設けられていることが好ましい。第７の態様によれば、係止部７４が１つの場合に比べて、カバー７が器具本体１０に対してより安定して保持される。
【０１１７】
第８の態様に係る照明器具１に関して、第７の態様において、２つの係止部７４は、カバー本体７０の一端部において、上記貫通方向及び上記並び方向に直交する方向における両端にそれぞれ配置されていることが好ましい。第８の態様によれば、係止部７４の数を抑えながらも、カバー７が安定して保持される。
【符号の説明】
【０１１８】
１  照明器具
２  常用照明装置
３  非常用照明装置
４  非常用光源ユニット
４０  ＬＥＤモジュール（光源）
４４  レンズ
４４０  レンズ本体
５  非常用電源ユニット
６  制御装置
７  カバー
７０  カバー本体
７４  係止部
７４０  腕部
７４０Ａ  基端
７４０Ｂ  先端
７４００  引掛部分（第１部）
７４０１  湾曲部分（第２部）
７５  固定部
７１１  孔
１０  器具本体
１１  天板（底部）
１３  第２側板（側板）
１００  突起
１７  隙間
Ｌ１  （腕部の）長さ寸法
Ｌ２  （レンズ本体の）突出寸法
Ｌ３  （突起から底部までの）距離
【図１】
2018137103.tif 000003
【図２】
2018137103.tif 000004
【図３】
2018137103.tif 000005
【図４】
2018137103.tif 000006
【図５】
2018137103.tif 000007
【図６】
2018137103.tif 000008
【図７】
2018137103.tif 000009
【図８】
2018137103.tif 000010
【図９】
2018137103.tif 000011
【図１０】
2018137103.tif 000012
【図１１】
2018137103.tif 000013
【図１２】
2018137103.tif 000014
【図１３】
2018137103.tif 000015
【図１４】
2018137103.tif 000016